(57)【要約】【課題】燃焼装置に異常が生じた場合、その燃焼装置における異常箇所を簡単に特定できるようにする。【解決手段】ブロワ１６にＯＮを命令してから風圧スイッチ１７がＯＮとなるまでの時間を風圧スイッチ１７のＯＮ時間ＴON、ブロワ１６にＯＦＦを命令してから風圧スイッチ１７がＯＦＦとなるまでの時間を風圧スイッチ１７のＯＦＦ時間ＴOFFとし、この風圧スイッチ１７のＯＮ時間ＴONおよびＯＦＦ時間ＴOFFを少なくとも含む燃焼制御情報を収集・蓄積する。燃焼装置２２に異常が生じた場合、蓄積されている風圧スイッチ１７のＯＮ時間ＴONおよびＯＦＦ時間ＴOFFの変化の傾向に基づいて、燃焼装置２２における異常箇所を推定する。【選択図】  図１
2019060572.tif 000002
【特許請求の範囲】
【請求項１】
燃焼室への空気の供給系統と燃料の供給系統とを備えた燃焼装置と、前記燃焼装置の運転を制御する燃焼制御装置とを備えた燃焼システムにおいて、
前記燃焼室への空気の圧力が第１の閾値を上回った場合にＯＮとなり、前記燃焼室への空気の圧力が第２の閾値を下回った場合にＯＦＦとなるように構成された風圧スイッチと、
前記燃焼制御装置から前記空気の供給系統に対して空気の供給開始指令が発せられてから前記風圧スイッチがＯＮとなるまでの時間を前記風圧スイッチのＯＮ時間、前記燃焼制御装置から前記空気の供給系統に対して空気の供給停止指令が発せられてから前記風圧スイッチがＯＦＦとなるまでの時間を前記風圧スイッチのＯＦＦ時間とし、この風圧スイッチのＯＮ時間およびＯＦＦ時間を少なくとも含む燃焼制御情報を収集するように構成された燃焼制御情報収集部と、
前記燃焼制御情報収集部によって収集された燃焼制御情報を時系列で蓄積するように構成された燃焼制御情報蓄積部と、
前記燃焼制御情報蓄積部に蓄積されている燃焼制御情報に基づいて前記燃焼装置の異常の有無を判定するように構成された異常判定部と、
前記異常判定部で異常有りと判定された場合、前記燃焼制御情報蓄積部に蓄積されている前記風圧スイッチのＯＮ時間およびＯＦＦ時間の変化の傾向に基づいて、前記燃焼装置における異常箇所を推定するように構成された異常箇所推定部と
を備えることを特徴とする燃焼システム。
【請求項２】
請求項１に記載された燃焼システムにおいて、
前記燃焼室への空気の流量を計測するように構成された流量計を備え、
前記燃焼制御情報収集部は、
前記風圧スイッチのＯＮ時間およびＯＦＦ時間、および前記流量計によって計測される空気の流量を少なくとも含む燃焼制御情報を収集し、
前記異常箇所推定部は、
前記異常判定部で異常有りと判定された場合、前記燃焼制御情報蓄積部に蓄積されている前記風圧スイッチのＯＮ時間およびＯＦＦ時間の変化の傾向、および前記流量計によって計測された空気の流量の変化の傾向に基づいて、前記燃焼装置における異常箇所を推定する
ことを特徴とする燃焼システム。
【請求項３】
請求項１又は２に記載された燃焼システムにおいて、
前記異常箇所推定部は、
前記燃焼室へ空気を送るブロワのモータを前記燃焼装置における異常箇所として推定する
ことを特徴とする燃焼システム。
【請求項４】
請求項１又は２に記載された燃焼システムにおいて、
前記異常箇所推定部は、
前記風圧スイッチを前記燃焼装置における異常箇所として推定する
ことを特徴とする燃焼システム。
【請求項５】
請求項１〜４の何れか１項に記載された燃焼システムにおいて、
前記異常判定部は、
前記風圧スイッチのＯＮ時間が所定の時間を超えた場合を前記燃焼装置の異常と判定する
ことを特徴とする燃焼システム。
【請求項６】
請求項１〜４の何れか１項に記載された燃焼システムにおいて、
前記異常判定部は、
前記燃焼装置における不着火を前記燃焼装置の異常と判定する
ことを特徴とする燃焼システム。
【請求項７】
請求項１〜４の何れか１項に記載された燃焼システムにおいて、
前記異常判定部は、
前記燃焼装置における断火を前記燃焼装置の異常と判定する
ことを特徴とする燃焼システム。
【請求項８】
請求項１〜７の何れか１項に記載された燃焼システムにおいて、
前記異常箇所推定部は、
前記異常判定部において判定された前記燃焼装置の異常の種別によって前記燃焼装置における異常箇所を絞り込む
ことを特徴とする燃焼システム。
【請求項９】
請求項１〜８の何れか１項に記載された燃焼システムにおいて、
前記異常箇所推定部は、
前記異常判定部で異常有りと判定された場合、前記燃焼装置における異常箇所と合わせて、その異常の原因を推定する
ことを特徴とする燃焼システム。
【発明の詳細な説明】
【技術分野】
【０００１】
本発明は、燃焼装置内の燃焼を制御する燃焼制御装置を用いた燃焼システムに関する。
【背景技術】
【０００２】
従来より、この種の燃焼システムとして、燃焼室への空気の供給系統と燃料の供給系統とを備えた燃焼装置と、燃焼装置の運転を制御する燃焼制御装置とを備えた燃焼システムが用いられている（例えば、特許文献１参照）。
【０００３】
この燃焼システムにおいて、空気の供給系統は、空気を送風するブロワと、このブロワから送風される空気を燃焼室へ導く空気流路と、空気流路中に配置され、この空気流路を通過する空気の流量を調整するダンパ（空気流量調整用ダンパ）とを備えている。
【０００４】
燃料の供給系統には、空気流量調整用ダンパとリンケージしてその開度位置が調整され、燃料流路を通して燃焼室へ供給する燃料の流量を調整するダンパ（燃料流量調整用ダンパ）が設けられている。なお、空気流量調整用ダンパと燃料流量調整用ダンパとがリンケージしていない場合もある。
【０００５】
また、空気流路には、ブロワから送風される空気の圧力が所定値に達したことを検出する風圧スイッチが配置されており、この風圧スイッチがＯＮとなり、かつダンパ（空気流量調整用ダンパ／燃料流量調整用ダンパ）の開度位置が所定の高開度位置に達した時点を起点として、プレパージ時間を計時するようにしている。プレパージ時間が完了すると、ダンパ（空気流量調整用ダンパ／燃料流量調整用ダンパ）の開度位置は所定の低開度位置とされる。
【０００６】
また、この燃焼システムにおいて、燃焼装置の起動から定常燃焼に至るまでの動作順序は、燃焼シーケンスとして定められている。例えば、燃焼装置の起動から定常燃焼に至るまでの動作順序として「スタートチェック」、「プレパージ」、「点火待ち」、「パイロット点火」、「パイロットオンリー」、「メイン点火」、「メイン安定」、「定常燃焼」というように、各燃焼シーケンスが定められている。
【０００７】
また、この燃焼システムにおいて、燃焼制御装置は、火炎検出器などの状態を監視し、燃焼装置の異常（不着火や断火）を検出した時に、安全遮断弁を閉とし、バーナへの燃料の供給を遮断する。すなわち、燃焼装置をロックアウト状態とする。
【先行技術文献】
【特許文献】
【０００８】
【特許文献１】特開２０１１−２０８９２１号公報
【発明の概要】
【発明が解決しようとする課題】
【０００９】
しかしながら、従来の燃焼システムでは、燃焼装置に異常が生じたことは分かるが、燃焼装置における異常箇所を特定することは困難であった。
【００１０】
本発明は、このような課題を解決するためになされたもので、その目的とするところは、燃焼装置に異常が生じた場合、その燃焼装置における異常箇所を簡単に特定することが可能な燃焼システムを提供することにある。
【課題を解決するための手段】
【００１１】
このような目的を達成するために本発明は、燃焼室（５）への空気の供給系統（１０１）と燃料の供給系統（１０２）とを備えた燃焼装置（２２）と、燃焼装置の運転を制御する燃焼制御装置（２）とを備えた燃焼システム（１００）において、燃焼室への空気の圧力が第１の閾値を上回った場合にＯＮとなり、燃焼室への空気の圧力が第２の閾値を下回った場合にＯＦＦとなるように構成された風圧スイッチ（１７）と、燃焼制御装置から空気の供給系統に対して空気の供給開始指令が発せられてから風圧スイッチがＯＮとなるまでの時間を風圧スイッチのＯＮ時間（ＴON）、燃焼制御装置から空気の供給系統に対して空気の供給停止指令が発せられてから風圧スイッチがＯＦＦとなるまでの時間を風圧スイッチのＯＦＦ時間（ＴOFF）とし、この風圧スイッチのＯＮ時間およびＯＦＦ時間を少なくとも含む燃焼制御情報を収集するように構成された燃焼制御情報収集部（２−１）と、燃焼制御情報収集部によって収集された燃焼制御情報を時系列で蓄積するように構成された燃焼制御情報蓄積部（２−２）と、燃焼制御情報蓄積部に蓄積されている燃焼制御情報に基づいて燃焼装置の異常の有無を判定するように構成された異常判定部（２−３）と、異常判定部で異常有りと判定された場合、燃焼制御情報蓄積部に蓄積されている風圧スイッチのＯＮ時間およびＯＦＦ時間の変化の傾向に基づいて、燃焼装置における異常箇所を推定するように構成された異常箇所推定部（２−４）とを備えることを特徴とする。
【００１２】
本発明において、異常判定部は、燃焼制御情報蓄積部に蓄積されている燃焼制御情報に基づいて燃焼装置の異常の有無を判定する。例えば、風圧スイッチのＯＮ時間が所定の時間を超えた場合を燃焼装置の異常と判定したり、燃焼装置における不着火を燃焼装置の異常と判定したり、燃焼装置における断火を燃焼装置の異常と判定する。異常箇所推定部は、異常判定部で異常有りと判定された場合、燃焼制御情報蓄積部に蓄積されている風圧スイッチのＯＮ時間およびＯＦＦ時間の変化の傾向に基づいて、燃焼装置における異常箇所を推定する。例えば、燃焼室へ空気を送るブロワのモータを燃焼装置における異常箇所と推定したり、風圧スイッチを燃焼装置における異常箇所として推定したりする。
【００１３】
なお、本発明において、燃焼室への空気の流量を計測する流量計（１７）を設け、風圧スイッチのＯＮ時間およびＯＦＦ時間、および流量計によって計測される空気の流量を少なくとも含む燃焼制御情報を収集・蓄積するものとし、異常判定部で異常有りと判定された場合、燃焼制御情報蓄積部に蓄積されている風圧スイッチのＯＮ時間およびＯＦＦ時間の変化の傾向、および流量計によって計測された空気の流量の変化の傾向に基づいて、燃焼装置における異常箇所を推定するようにしてもよい。
【００１４】
また、本発明において、異常箇所推定部は、異常判定部において判定された燃焼装置の異常の種別によって燃焼装置における異常箇所を絞り込むようにしてもよく、異常判定部で異常有りと判定された場合、燃焼装置における異常箇所と合わせて、その異常の原因を推定するものとしてもよい。
【００１５】
なお、上記説明では、一例として、発明の構成要素に対応する図面上の構成要素を、括弧を付した参照符号によって示している。
【発明の効果】
【００１６】
以上説明したように、本発明によれば、異常判定部で異常有りと判定された場合、燃焼制御情報蓄積部に蓄積されている風圧スイッチのＯＮ時間およびＯＦＦ時間の変化の傾向に基づいて、燃焼装置における異常箇所を推定するようにしたので、燃焼装置に異常が生じた場合、その燃焼装置における異常箇所を簡単に特定することが可能となる。
【図面の簡単な説明】
【００１７】
【図１】図１は、本発明の実施の形態に係る燃焼システムの要部を示す図である。
【図２】図２は、メインバーナのみとした燃焼システムの構成を例示する図である。
【図３】図３は、燃焼装置の起動から定常燃焼に至るまでの燃焼シーケンスのタイムチャートである。
【図４】図４は、燃焼制御装置の要部の機能ブロック図である。
【図５】図５は、ブロワにＯＮを命令してから風圧スイッチがＯＮするまでの時間（風圧スイッチのＯＮ時間ＴON）を示す図である。
【図６】図６は、ブロワにＯＦＦを命令してから風圧スイッチがＯＦＦするまでの時間（風圧スイッチのＯＦＦ時間ＴOFF）を示す図である。
【図７】図７は、風圧スイッチのＯＮ時間およびＯＦＦ時間の変化の傾向と、燃焼装置で発生する異常と、推定される異常箇所（異常の原因を含む）との関係を定めたテーブルを例示する図である。
【図８】図８は、風圧スイッチのＯＮ時間およびＯＦＦ時間の変化の傾向と、空気の流量の変化の傾向と、燃焼装置で発生する異常と、推定される異常箇所（異常の原因を含む）との関係を定めたテーブルを例示する図である。
【図９】図９は、監視装置における燃焼制御装置からの異常の判定結果および異常箇所の推定結果（異常の原因も含む）の表示例を示す図である。
【図１０】図１０は、風圧スイッチのＯＮ時間中の空気の流量の変化を示す図である。
【図１１】図１１は、インターネットを介して接続された遠隔地の監視装置（遠隔監視装置）に燃焼制御装置で求められた異常の判定結果および異常箇所の推定結果（異常の原因も含む）を送るようにした例を示す図である。
【発明を実施するための形態】
【００１８】
以下、本発明の実施の形態を図面に基づいて詳細に説明する。図１に、本発明に係る燃焼システムの一実施の形態の構成を示す。この燃焼システム１００は、燃焼機器１と、燃焼制御装置２と、燃料流路３と、空気流路４とを備えている。
【００１９】
燃焼機器１は、燃焼室５と、この燃焼室５内を加熱するメインバーナ６と、このメインバーナ６を点火するパイロットバーナ７と、このパイロットバーナ７を点火する点火装置（ＩＧ）８と、バーナ（パイロットバーナ７およびメインバーナ６）の火炎の強さを検出する火炎検出器９と、燃焼室５内の温度を検出する温度センサ１０とを備えている。
【００２０】
燃料流路３は、燃焼機器１に燃料を供給するための流路であり、外部から燃料が供給される主流路３ａと、主流路３ａから分岐した第１の流路３ｂおよび第２の流路３ｃとから構成されている。第１の流路３ｂはメインバーナ６に接続され、第２の流路３ｃはパイロットバーナ７に接続されている。また、主流路３ａにはガス圧スイッチ１５と流量計（ガス流量計）２０が設けられ、第１の流路３ｂには安全遮断弁１１，１２およびダンパ（燃料流量調整用ダンパ）１９が設けられ、第２の流路３ｃには安全遮断弁１３，１４が設けられている。
【００２１】
空気流路４は、一端がブロワ１６に接続され、他端が第１の流路３ｂに接続されている。ブロワ１６から吐出された空気（エアー）は、第１の流路３ｂを介して燃料（ガス）とともにメインバーナ６に供給される。また、空気流路４には、風圧スイッチ（エアーフロースイッチ）１７と流量計（空気流量計）２１とダンパ（空気流量調整用ダンパ）１８が設けられている。
【００２２】
この空気流路４において、空気流量調整用ダンパ１８は、制御モータＭによって燃料流量調整用ダンパ１９とリンケージして駆動される。制御モータＭには、ダンパ１８，１９の開度位置が所定の高開度位置へ達したことを検出する高開度位置センサＨＳと、所定の低開度位置へ達したことを検出する低開度位置センサＬＳとが設けられている。
【００２３】
燃焼制御装置２は、ガス圧スイッチ１５からのガス圧信号、風圧スイッチ１７からの空気圧信号、火炎検出器９からの火炎検出信号（バーナの火炎の強さを示す信号）、温度センサ１０からの温度検出信号などを入力とし、安全遮断弁１１〜１４や点火装置８、ブロワ１６、ダンパ１８，１９などに対して制御信号を出力する。これにより、図中その構成要素を１点鎖線で囲んで示す燃焼装置２２の運転が制御される。
【００２４】
なお、燃焼装置２２の種類によっては、メインバーナ６の点火が終わればパイロットバーナ７の火炎を消すタイプ、メインバーナ６の点火後もパイロットバーナ７の火炎を継続するタイプなどがあり、火炎検出器９は、前者のタイプでは、最初にパイロットバーナ７の火炎の強さを検出し、その後、メインバーナ６の火炎の強さを検出する。後者のタイプでは、パイロットバーナ７とメインバーナ６の火炎の強さを合わせて検出する。
【００２５】
本明細書では、パイロットバーナ７もメインバーナ６もバーナと呼び、そして火炎検出器９が検出する火炎をバーナの火炎と呼ぶ。図１は、メインバーナ６の点火後もパイロットバーナ７の火炎を継続するタイプとされており、火炎検出器９はパイロットバーナ７およびメインバーナ６の火炎をバーナの火炎として検出する。
【００２６】
また、この燃焼装置２２では、空気流路４とブロワ１６と空気流量調整用ダンパ１８とで燃焼室５への空気の供給系統１０１が構成され、燃料流路３（３ａ，３ｂ，３ｃ）と安全遮断弁１１〜１４と燃料流量調整用ダンパ１９とで燃焼室５への燃料の供給系統１０２が構成されている。
【００２７】
なお、パイロットバーナを設けずにメインバーナのみとするタイプも存在し、そのタイプでは、図２に示すように、主流路３ａの入口側と出口側とをバイパスするようにして流路（副流路）３ｃが設けられ、主流路３ａと副流路３ｃとの出口側の合流点とバーナ６との間に燃料流量調整用ダンパ１９が設置される。この場合、バーナ６がメインバーナとパイロットバーナとを兼ね、パイロットバーナ７が不要となる。
【００２８】
この燃焼システム１００（図１）において、燃焼装置２２の起動から定常燃焼に至るまでの動作順序は、燃焼シーケンスとして定められている。例えば、燃焼装置２２の起動から定常燃焼に至るまでの動作順序として「スタートチェック」、「プレパージ」、「点火待ち」、「パイロット点火」、「パイロットオンリー」、「メイン点火」、「メイン安定」、「定常燃焼」というように、各燃焼シーケンスが定められている。
【００２９】
図３に、燃焼装置２２の起動から定常燃焼に至るまでの燃焼シーケンスのタイムチャートを示す。燃焼制御装置２は、起動入力があると（図３（ａ）に示すｔ１点）、制御モータＭへ開方向への駆動指令を送り（図３（ｄ）に示すｔ１点）、ブロワ１６からの空気流路４への空気の送風を開始する（図３（ｂ）に示すｔ１点）。これにより、ダンパ１８，１９が開かれ、空気流路４内の圧力が高まる。
【００３０】
そして、空気流路４内の圧力が高まり（燃焼室５への空気の圧力が高まり）、空気流路４内の圧力が所定値に達すると、風圧スイッチ１７がＯＮとなる（図３（ｃ）に示すｔ２点）。このｔ１点からｔ２点までの期間Ｐ１が「スタートチェック」の時間帯である。
【００３１】
燃焼制御装置２は、風圧スイッチ１７がＯＮとなり、かつ高開度位置センサＨＳがダンパ１８，１９の開度位置が高開度位置に達したことを検出すると（図３（ｅ）に示すｔ３点）、この時点を起点としてプレパージ時間Ｓ１の計時を開始する。
【００３２】
燃焼制御装置２は、プレパージ時間Ｓ１の経過後、制御モータＭへ閉方向への駆動指令を送る（図３（ｄ）に示すｔ４点）。これにより、ダンパ１８，１９の開度が閉じられて行く。このｔ３点からｔ４点までの期間Ｐ２が「プレパージ」の時間帯である。
【００３３】
燃焼制御装置２は、低開度位置センサＬＳがダンパ１８，１９の開度位置が低開度位置に達したことを検出すると（図３（ｆ）に示すｔ５点）、所定の待ち時間Ｓ２の経過後、安全遮断弁（パイロットバルブ）１３，１４を開とし（図３（ｇ）に示すｔ６点）、点火装置（イグニッション）８を作動させ（図３（ｈ）に示すｔ６点）、パイロットバーナ７への点火を行う（図３（ｉ）に示すｔ６点）。このｔ４点からｔ６点までの期間Ｐ３が「点火待ち」の時間帯である。
【００３４】
燃焼制御装置２は、パイロットバーナ７への点火を行うと、パイロット点火時間とパイロットオンリー時間とを合わせた時間Ｓ３の経過を待って、安全遮断弁（メインバルブ）１１，１２を開とし（図３（ｊ）に示すｔ８点）、メインバーナ６への着火を行う（図３（ｋ）に示すｔ８点）。この場合、点火装置８を作動させている期間、すなわち図３（ｈ）に示すｔ６点からｔ７点までの期間Ｐ４が「パイロット点火」の時間帯であり、ｔ７点からｔ８点までの期間Ｐ５が「パイロットオンリー」の時間帯である。
【００３５】
燃焼制御装置２は、メインバーナ６への着火を行うと、メイン着火時間とメイン安定時間とを合わせた時間Ｓ４の経過を待って、ダンパ１８，１９の開度の比例制御を開始し（図３（ｄ）に示すｔ１０点）、定常燃焼へと移行する。このｔ８点からｔ１０点までの期間のうち、ｔ８点からｔ９点までの期間Ｐ６が「メイン点火」の時間帯であり、ｔ９点からｔ１０点までの期間Ｐ７が「メイン安定」の時間帯であり、ｔ１０点以降の期間Ｐ８が「定常燃焼（定常燃焼シーケンス）」の時間帯である。
【００３６】
本実施の形態では、このような燃焼シーケンスに従う動作を行わせる燃焼制御装置２に、「燃焼制御情報を収集する機能」と、「収集した燃焼制御情報を蓄積する機能」と、「燃焼装置の異常を判定する機能」と、「燃焼装置における異常箇所を推定する機能」と、「燃焼装置の異常の判定結果および燃焼装置における異常箇所の推定結果を出力する機能」とを設けている。図４に、このような機能を備えた燃焼制御装置２の要部の機能ブロック図を示す。
【００３７】
この燃焼制御装置２は、プロセッサや記憶装置からなるハードウェアと、これらのハードウェアと協働して各種機能を実現させるプログラムとによって実現され、本実施の形態特有の機能部として、燃焼制御情報収集部２−１と、燃焼制御情報蓄積部２−２と、異常判定部２−３と、異常箇所推定部２−４と、出力部２−５とを備えている。
【００３８】
なお、図４には、燃焼制御装置２に設けられている本実施の形態特有の機能部だけを抜粋して示している。また、図４において、燃焼装置２２の構成は、図１に示されているので省略している。
【００３９】
この燃焼制御装置２において、燃焼制御情報収集部２−１は、燃焼制御情報を所定の周期（例えば、０.１ｓ単位）で収集する。この実施の形態では、燃焼装置２２の運転状態を示す起動入力信号（図３（ａ））、ブロワ１６の作動状態を示すブロワ信号（図３（ｂ））、メインバーナ６への空気の供給状態を示す信号（図３（ｃ））、ダンパ１８，１９の高開度位置への到達を示す高開度位置検出信号（図３（ｅ））、ダンパ１８，１９の低開度位置への到達を示す低開度位置検出信号（図３（ｆ））、パイロットバーナ７への燃料の供給状態を示す信号（図３（ｇ））、点火装置（イグニッション）８の作動状態を示す信号（図３（ｈ））、メインバーナ６への燃料の供給状態を示す信号（図３（ｊ））、火炎検出器９が検出するバーナ（パイロットバーナ７およびメインバーナ６）の火炎の強さを示す火炎検出信号、ガス流量計２０が計測する燃料ガスの流量、空気流量計２１が計測する空気の流量などを燃焼制御情報として、例えば、０.１ｓ単位で収集する。
【００４０】
なお、燃焼制御装置２は、火炎検出器９からの火炎検出信号をフレーム電圧として取得し、このフレーム電圧の値から火炎の有無や着火異常などを判断する。燃焼制御情報収集部２−１が収集する燃焼制御情報には、燃焼制御装置２が判断する火炎の有無を示す情報、不着火を示す情報、断火を示す情報、フレーム電圧なども含まれる。
【００４１】
また、燃焼制御情報収集部２−１は、ブロワ１６にＯＮを命令してから風圧スイッチ１７がＯＮするまでの時間、すなわち空気の供給系統１０１に対して空気の供給開始指令を発してから燃焼室５への空気の圧力が所定の値（第１の閾値）を上回ったことを風圧スイッチ１７が検出するまでの時間（図３に示すｔ１点からｔ２点までの時間）を風圧スイッチ１７のＯＮ時間ＴONとし、この風圧スイッチ１７のＯＮ時間ＴONについても燃焼制御情報として収集する。図５に、図３中の風圧スイッチ１７のＯＮ時間ＴONを抜き出して示す。
【００４２】
また、燃焼制御情報収集部２−１は、ブロワ１６にＯＦＦを命令してから風圧スイッチ１７がＯＦＦするまでの時間、すなわち空気の供給系統１０１に対して空気の供給停止指令を発してから燃焼室５への空気の圧力が所定の値（第２の閾値）を下回ったことを風圧スイッチ１７が検出するまでの時間（図６に示すｔ１１点からｔ１２点までの時間）を風圧スイッチ１７のＯＦＦ時間ＴOFFとし、この風圧スイッチ１７のＯＦＦ時間ＴOFFについても燃焼制御情報として収集する。
【００４３】
なお、図３には、燃焼装置２２の起動から定常燃焼に至るまでの燃焼シーケンスを示しており、風圧スイッチ１７のＯＦＦ時間ＴOFFは示されていない。燃焼装置２２の停止時にも所定の燃焼シーケンスに従って燃焼の停止が行われる。また、風圧スイッチ１７は、燃焼室５への空気の圧力が第１の閾値を上回った場合にＯＮとなり、第２の閾値を下回った場合にＯＦＦとなるが、第１の閾値と第２の閾値とは同じであっても構わない。通常は、ヒステリシスを持たせるために、第１の閾値と第２の閾値とは異なる値とする。
【００４４】
燃焼制御情報蓄積部２−２には、燃焼制御情報収集部２−１によって収集された燃焼制御情報が時系列で蓄積される。異常判定部２−３は、燃焼制御情報蓄積部２−２に蓄積されている燃焼制御情報に基づいて燃焼装置２２の異常の有無を判定する。
【００４５】
この実施の形態において、異常判定部２−３は、風圧スイッチ１７のＯＮ時間ＴONが所定の時間（例えば、３分）を超えた場合に燃焼装置２２の異常（以下、この異常を風圧異常という。）と判定する。また、異常判定部２−３は、不着火や断火が生じた場合に、燃焼装置２２の異常と判定する。
【００４６】
この場合、異常判定部２−３は、不着火や断火による異常を致命的な異常と判断し、燃焼装置２２をロックアウト状態とする。風圧異常の場合にはロックアウト状態とはしない。すなわち、異常判定部２−３での判定結果として、「不着火」と「断火」とが同時に得られることはないが、「風圧異常」の場合には、「風圧異常」と「不着火」とが同時に得られることもあるし、「風圧異常」と「断火」とが同時に得られることもある。
【００４７】
異常箇所推定部２−４は、異常判定部２−３で異常有りと判定された場合、燃焼制御情報蓄積部２−２に蓄積されている燃焼制御情報に基づいて燃焼装置２２における異常箇所を推定する。この異常箇所推定部２−４における異常箇所の推定については後述する。
【００４８】
出力部２−５は、異常判定部２−３で求められた異常の判定結果および異常箇所推定部２−４で求められた異常箇所の推定結果を監視装置２３に出力する。
【００４９】
監視装置２３は、ディスプレイに監視画面を表示する表示部２３−１を備え、この表示部２３−１が表示する監視画面上に燃焼制御装置２から送られてくる異常の判定結果および異常箇所の推定結果を表示する。
【００５０】
〔異常箇所の推定〕
異常箇所推定部２−４は、異常判定部２−３で異常有りと判定された場合、燃焼制御情報蓄積部２−２に蓄積されている燃焼制御情報に基づいて燃焼装置２２における異常箇所を推定する。以下、この異常箇所推定部２−４における異常箇所の推定について、具体的に説明する。
【００５１】
異常箇所推定部２−４には、風圧スイッチ１７のＯＮ時間ＴONおよびＯＦＦ時間ＴOFFの変化の傾向と、燃焼装置２２で発生する異常と、推定される異常箇所（異常の原因を含む）との関係を定めたテーブル（異常箇所推定テーブル）ＴＢ１が設けられている。
【００５２】
図７に、このテーブルＴＢ１の一例を示す。異常箇所推定部２−４は、異常判定部２−３で異常有りと判定された場合、このテーブルＴＢ１に定められた関係に従って、燃焼装置２２における異常箇所を推定する。
【００５３】
〔不着火・断火・風圧異常の場合〕
異常判定部２−３における判定結果が「風圧異常」かつ「不着火」であった場合、あるいは「風圧異常」かつ「断火」であった場合、異常箇所推定部２−４は、テーブルＴＢ１中の「ケース１」、「ケース３」、「ケース４」に該当するものと判断する。
【００５４】
この場合、異常箇所推定部２−４は、燃焼制御情報蓄積部２−２に蓄積されている燃焼制御情報中、風圧スイッチ１７のＯＮ時間ＴONおよびＯＦＦ時間ＴOFFの変化の傾向を求める。この実施の形態では、異常発生に至るまでの過去の一定期間を対象の期間とし、この対象の期間内の風圧スイッチ１７のＯＮ時間ＴONおよびＯＦＦ時間ＴOFFの正常な状態からの変化の傾向を、「長くなる」、「短くなる」といようにして求める。
【００５５】
ここで、ＯＮ時間ＴONの変化の傾向が「長くなる」であり、ＯＦＦ時間ＴOFFの変化の傾向が「短くなる」であれば（ケース１、ケース３、ケース４）、異常箇所推定部２−４は、ブロワモータの異常（フィルターの詰まり、又は電源供給不足、又はファンベルトの緩み）であると推定する。
【００５６】
〔不着火・断火の場合〕
異常判定部２−３における判定結果が「不着火」あるいは「断火」であった場合、異常箇所推定部２−４は、テーブルＴＢ１中の「ケース２」に該当するものと判断する。
【００５７】
この場合も上述と同様、異常箇所推定部２−４は、燃焼制御情報蓄積部２−２に蓄積されている燃焼制御情報中、風圧スイッチ１７のＯＮ時間ＴONおよびＯＦＦ時間ＴOFFの変化の傾向を求める。
【００５８】
ここで、ＯＮ時間ＴONの変化の傾向が「短くなる」であり、ＯＦＦ時間ＴOFFの変化の傾向が「長くなる」であれば（ケース２）、異常箇所推定部２−４は、ブロワモータの異常（過電圧）であると推定する。
【００５９】
〔風圧異常の場合〕
異常判定部２−３における判定結果が「風圧異常」であった場合、異常箇所推定部２−４は、テーブルＴＢ１中の「ケース５」、「ケース６」に該当するものと判断する。
【００６０】
この場合も上述と同様、異常箇所推定部２−４は、燃焼制御情報蓄積部２−２に蓄積されている燃焼制御情報中、風圧スイッチ１７のＯＮ時間ＴONおよびＯＦＦ時間ＴOFFの変化の傾向を求める。
【００６１】
ここで、ＯＮ時間ＴONの変化の傾向が「長くなる」であり、ＯＦＦ時間ＴOFFの変化の傾向が「短くなる」であれば（ケース５）、異常箇所推定部２−４は、風圧スイッチの異常（風圧スイッチの設定不良（高））であると推定する。
【００６２】
ＯＮ時間ＴONの変化の傾向が「短くなる」であり、ＯＦＦ時間ＴOFFの変化の傾向が「長くなる」であれば（ケース６）、異常箇所推定部２−４は、風圧スイッチの異常（風圧スイッチの設定不良（低））であると推定する。
【００６３】
この異常判定部２−３で求められた異常の判定結果および異常箇所推定部２−４で求められた異常箇所の推定結果は出力部２−５へ送られる。この場合、異常箇所推定部２−４における異常箇所の推定結果には、推定される異常の原因も含まれている。以下、この異常の原因も含めて、異常箇所の推定結果という。
【００６４】
出力部２−５は、異常判定部２−３で求められた異常の判定結果および異常箇所推定部２−４で求められた異常箇所の推定結果を監視装置２３に出力する。監視装置２３は、燃焼制御装置２から送られてくる異常の判定結果および異常箇所の推定結果を監視画面上に表示する。
【００６５】
図９に、監視装置２３における燃焼制御装置２からの異常の判定結果および異常箇所の推定結果の表示例を示す。この例では、異常情報のメッセージ欄Ｇ１を表示し、この異常情報のメッセージ欄Ｇ１に異常の判定結果と、推定される異常箇所とを、推定される異常の原因と合わせて文字で表示する。
【００６６】
このようにして、本実施の形態によれば、ブロワ１６にＯＮを命令してから風圧スイッチ１７がＯＮとなるまでの時間を風圧スイッチ１７のＯＮ時間ＴON、ブロワ１６にＯＦＦを命令してから風圧スイッチ１７がＯＦＦとなるまでの時間を風圧スイッチ１７のＯＦＦ時間ＴOFFとし、この風圧スイッチ１７のＯＮ時間ＴONおよびＯＦＦ時間ＴOFFを少なくとも含む燃焼制御情報を収集・蓄積し、燃焼装置２２に異常が生じた場合、蓄積されている風圧スイッチ１７のＯＮ時間ＴONおよびＯＦＦ時間ＴOFFの変化の傾向に基づいて、燃焼装置２２における異常箇所を異常の原因を含めて推定することにより、燃焼装置２２における異常箇所を簡単に特定することが可能となる。
【００６７】
なお、上述した実施の形態では、異常箇所推定部２−４に、風圧スイッチ１７のＯＮ時間ＴONおよびＯＦＦ時間ＴOFFの変化の傾向と、燃焼装置２２で発生する異常と、推定される異常箇所（異常の原因を含む）との関係を定めたテーブルＴＢ１（図７）を異常箇所推定テーブルとして設けるようにしたが、異常箇所推定テーブルはこのようなテーブルＴＢ１に限られるものではない。
【００６８】
図８に、風圧スイッチ１７のＯＮ時間ＴONおよびＯＦＦ時間ＴOFFの変化の傾向と、空気の流量の変化の傾向と、燃焼装置２２で発生する異常と、推定される異常箇所（異常の原因を含む）との関係を定めたテーブルＴＢ２を例示する。このテーブルＴＢ２において、「空気流量」は、風圧スイッチ１７のＯＮ時間ＴON中の燃焼室５への空気の流量（図１０（ｃ）参照）を示し、「多くなる」「少なくなる」はこの空気の流量の変化の傾向を示している。このようなテーブルＴＢ２を用いることによって、異常の原因をさらに絞り込むことが可能となる。
【００６９】
また、上述した実施の形態では、燃焼制御装置２とは別に監視装置２３を設け、この監視装置２３の画面（監視画面）上に燃焼制御装置２で求められた異常の判定結果および異常箇所の推定結果を表示するようにしたが、燃焼制御装置２内に監視画面を表示する表示部を設け、この表示部が表示する監視画面に燃焼制御装置２で求められた異常の判定結果および異常箇所の推定結果を表示するようにしてもよい。
【００７０】
また、図１１に示すように、燃焼制御装置２内に送信部２−７を設け、この送信部２−７からインターネット３０を介して、遠隔地の監視装置（遠隔監視装置）２３に燃焼制御装置２で求められた異常の判定結果および異常箇所の推定結果を送り、監視装置２３の画面（監視画面）上に表示させるようにしてもよい。
【００７１】
また、上述した実施の形態では、異常判定部２−３や異常箇所推定部２−４を燃焼制御装置２内に設けるようにしたが、必ずしも燃焼制御装置２内に設けなくてもよく、燃焼制御装置２とは別に診断装置を設け、この診断装置内に同様の機能を設けるなどしてもよい。
【００７２】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００７３】
１…燃焼機器、２…燃焼制御装置、２−１…燃焼制御情報収集部、２−２…燃焼制御情報蓄積部、２−３…異常判定部、２−４…異常箇所推定部、２−５…出力部、３…燃料流路、４…空気流路、５…燃焼室、６…メインバーナ、７…パイロットバーナ、８…点火装置（イグニッション）、９…火炎検出器、１１〜１４…安全遮断弁、１５…ガス圧スイッチ、１６…ブロワ、１７…風圧スイッチ（エアーフロースイッチ）、１８…空気流量調整用ダンパ、１９…燃料流量調整用ダンパ、２０…ガス流量計、２１…空気流量計、２２…燃焼装置、１００…燃焼システム、１０１…空気の供給系統、１０２…燃料の供給系統、ＨＳ…高開度位置センサ、ＬＳ…低開度位置センサ、Ｍ…制御モータ、ＴＢ１，ＴＢ２…テーブル（異常箇所推定テーブル）。
【図１】
2019060572.tif 000003
【図２】
2019060572.tif 000004
【図３】
2019060572.tif 000005
【図４】
2019060572.tif 000006
【図５】
2019060572.tif 000007
【図６】
2019060572.tif 000008
【図７】
2019060572.tif 000009
【図８】
2019060572.tif 000010
【図９】
2019060572.tif 000011
【図１０】
2019060572.tif 000012
【図１１】
2019060572.tif 000013